(57)【要約】【課題】取付具を柱状部材と壁面との兼用とし、なおかつ、作業中に分解したり、一部の部品だけが落下したりといった事態を防止できるようにする。【解決手段】取付具１０１は、対象物を柱状部材に取り付けるためと対象物を壁面に取り付けるためとを兼用する取付具であって、中央部２１と、その左右の端においてそれぞれ第１の側８１に折れ曲がるようにして延在する立ち上がり部２３と、立ち上がり部２３の先端からさらに互いに遠ざかる向きに折れ曲がるようにしてそれぞれ延在する耳部２４とを備える。立ち上がり部２３は、対象物を柱状部材に取り付ける際にこの柱状部材に巻きつけられるベルト部材を通すための第１ベルト通し部１５をそれぞれ有する。耳部２４は、対象物を壁面に取り付ける際にこの壁面から突出するアンカーボルトを通すためのボルト通し部１６をそれぞれ有する。【選択図】図１
2011114937.tif 000002
【特許請求の範囲】
【請求項１】
対象物を柱状部材に取り付けるためと前記対象物を壁面に取り付けるためとを兼用する取付具であって、
中央部と、
前記中央部の左右の端においてそれぞれ第１の側に折れ曲がるようにして延在する立ち上がり部と、
前記立ち上がり部の先端からさらに互いに遠ざかる向きに折れ曲がるようにしてそれぞれ延在する耳部とを備え、
前記立ち上がり部は、前記対象物を前記柱状部材に取り付ける際に前記柱状部材に巻きつけられるベルト部材を通すための第１ベルト通し部をそれぞれ有し、
前記耳部は、前記対象物を前記壁面に取り付ける際に前記壁面から突出するアンカーボルトを通すためのボルト通し部をそれぞれ有する、取付具。
【請求項２】
前記第１ベルト通し部は前記立ち上がり部の各々に設けられた貫通孔である、請求項１に記載の取付具。
【請求項３】
前記耳部は、前記ベルト部材を通すための第２ベルト通し部をそれぞれ有する、請求項１または２に記載の取付具。
【請求項４】
前記第２ベルト通し部は前記耳部の各々に設けられたスリット状の貫通孔である、請求項３に記載の取付具。
【請求項５】
前記第２ベルト通し部は前記耳部の各々に設けられた切欠きである、請求項３に記載の取付具。
【請求項６】
前記中央部、左右一対の前記立ち上がり部、左右一対の前記耳部は、１枚の金属板から一体的に形成されたものである、請求項１から５のいずれかに記載の取付具。
【請求項７】
前記対象物は照明装置の灯具である、請求項１から６のいずれかに記載の取付具。
【請求項８】
灯具と、
請求項１から６のいずれかに記載の取付具とを備え、
前記対象物は前記灯具である、照明装置。
【発明の詳細な説明】
【技術分野】
【０００１】
本発明は、取付具および照明装置に関するものである。
【背景技術】
【０００２】
従来、電柱の途中に何らかのものを取り付けるためにはベルト部材が用いられる。その一例としての支線バンドが、実開平４−４１５４号（特許文献１）に記載されている。この文献で示されているのは、電柱を支える支線の一端を電柱に取り付けるための器具である。
【０００３】
実際には、電柱に取り付けられる対象物は、支線に限らず、さまざまな装置が考えられる。そのひとつとして照明装置の灯具もありうる。照明装置とは、たとえば屋外灯である。従来、電柱に屋外灯の灯具を取り付ける際の、取付具の使用例を図１７に示す。ここでは、取付具として固定用アングル１が用いられており、固定用アングル１のベルト通し孔５にベルト部材９を通し、図１８に示すように、固定用アングル１は、ベルト部材９を電柱１０に巻き付けることによって固定されていた。固定用アングル１を電柱１０に固定した後に、灯具１１のフック１１ａが固定アングル１に対して掛けられ、ボルト１２によって固定されていた。
【０００４】
灯具を、電柱のような柱状部材ではなく、壁面に取り付けたい場合は、図１９に示すように、固定用アングル１の他に、２ヶ所に孔が設けられた細長い長方形の板状部材２が追加的に用いられていた。ただし、図２０に示すように壁面８からは２本のアンカーボルト３が壁面８に垂直に突出しているものとする。図２０は上から見た図である。２本のアンカーボルト３は、水平方向に並んでいる。図１９に示すように、板状部材２の２ヶ所の孔１３は、２本のアンカーボルト３に対応する位置に設けられている。この場合、固定用アングル１のベルト通し孔５に板状部材２を挿入し、図２１に示すように、板状部材２の中心線と固定用アングル１の中心線とを一致させることによって、板状部材２の両端が固定用アングル１の左右にそれぞれ突出するようにする。この板状部材２の２つの孔にアンカーボルト３をそれぞれ通す。図２２に示すように、アンカーボルト３の先端にナット４を取り付け、このナット４を締めていくことにより、板状部材２は壁面８に向けて押さえつけられる。その結果、板状部材２を介して固定用アングル１が壁面８に向けて押さえつけられ、固定される。固定用アングル１が固定された後に、灯具１１が固定用アングル１に取り付けられる。こうして、図２３に示すように灯具１１が壁面８に固定された状態となる。
【先行技術文献】
【特許文献】
【０００５】
【特許文献１】実開平４−４１５４号
【発明の概要】
【発明が解決しようとする課題】
【０００６】
壁面に屋外灯の灯具を取り付ける場合、上述のような固定の仕方では、固定用アングル１の他に板状部材２が必要となり、両者は別部材であったので、作業者は、図１９に示すように、両者を組み合わせた状態で手に持って作業しなければならなかった。特にこのような取付作業は高所での作業になるので、作業者は往々にして片手しか用いることができず、図１９に示すように、固定用アングル１と板状部材２とを合わせたものを片手で持って、２本のアンカーボルト３の挿入および２つのナット４の締付け作業を行なわなければならない。固定用アングル１と板状部材２とは単に挿入して組み合わせただけであるので、作業途中で、作業員がいずれか一方の部品を落下させてしまうおそれがあった。特に、このような作業は高所で行われる作業であるので、作業員がいずれか一方の部品を落下させてしまった場合、落下させてしまった部品を回収するために作業員が一旦作業場所から地面などの低所まで降りなければならないという点で作業効率が悪く不都合であった。
【０００７】
そこで、本発明は、柱状部材と壁面とのいずれへの取付けであっても兼用することができ、なおかつ、取付け作業中に分解してしまったり、取付具のうちの一部の部品だけが落下するといった事態を防止することができる取付具、および、照明装置を提供することを目的とする。
【課題を解決するための手段】
【０００８】
上記目的を達成するため、本発明に基づく取付具は、対象物を柱状部材に取り付けるためと上記対象物を壁面に取り付けるためとを兼用する取付具であって、中央部と、上記中央部の左右の端においてそれぞれ第１の側に折れ曲がるようにして延在する立ち上がり部と、上記立ち上がり部の先端からさらに互いに遠ざかる向きに折れ曲がるようにしてそれぞれ延在する耳部とを備え、上記立ち上がり部は、上記対象物を上記柱状部材に取り付ける際に上記柱状部材に巻きつけられるベルト部材を通すための第１ベルト通し部をそれぞれ有し、上記耳部は、上記対象物を上記壁面に取り付ける際に上記壁面から突出するアンカーボルトを通すためのボルト通し部をそれぞれ有する。
【発明の効果】
【０００９】
本発明によれば、取付具は一体物であって複数部品に分かれていないので、取付け作業中に分解してしまったり、取付具のうちの一部の部品だけが落下するといった事態を防止することができる。
【図面の簡単な説明】
【００１０】
【図１】本発明に基づく実施の形態１における取付具の斜視図である。
【図２】対象物を柱状部材に取り付ける場合の取付具の使用方法の説明図である。
【図３】対象物を壁面に取り付ける場合の取付具の使用方法の第１の説明図である。
【図４】対象物を壁面に取り付ける場合の取付具の使用方法の第２の説明図である。
【図５】本発明に基づく実施の形態１における取付具の変形例の斜視図である。
【図６】本発明に基づく実施の形態１における取付具を十分大きな径の柱状部材への取付けに用いた場合の平面図である。
【図７】本発明に基づく実施の形態１における取付具を小さな径の柱状部材への取付けに用いた場合の平面図である。
【図８】本発明に基づく実施の形態２における取付具の斜視図である。
【図９】本発明に基づく実施の形態２における取付具を小さな径の柱状部材への取付けに用いた場合の平面図である。
【図１０】本発明に基づく実施の形態２における取付具の第１の変形例の斜視図である。
【図１１】本発明に基づく実施の形態２における取付具の第２の変形例の斜視図である。
【図１２】本発明に基づく実施の形態２における取付具の第３の変形例の斜視図である。
【図１３】本発明に基づく実施の形態２における取付具の第４の変形例の斜視図である。
【図１４】本発明に基づく実施の形態２における取付具の第５の変形例の斜視図である。
【図１５】本発明に基づく実施の形態２における取付具の第６の変形例の斜視図である。
【図１６】本発明に基づく実施の形態３における照明装置の斜視図である。
【図１７】従来技術に基づく取付具の使用例の説明図である。
【図１８】従来技術に基づく取付具を電柱に取り付けた状態の説明図である。
【図１９】従来技術に基づく取付具を壁面に取り付けようとする場合の板状部材の使用についての説明図である。
【図２０】壁面から２本のアンカーボルトが突出する状態の平面図である。
【図２１】従来技術に基づく取付具を壁面に取り付けるために２つの部材を組み合わせた状態の断面図である。
【図２２】従来技術に基づく取付具を壁面に取り付ける様子の断面図である。
【図２３】従来技術に基づく取付具によって灯具が壁面に取り付けられた状態の斜視図である。
【発明を実施するための形態】
【００１１】
（実施の形態１）
（構成）
図１を参照して、本発明に基づく実施の形態１における取付具について説明する。本実施の形態における取付具１０１は、対象物を柱状部材に取り付けるためと前記対象物を壁面に取り付けるためとを兼用する取付具であって、中央部２１と、中央部２１の左右の端２２においてそれぞれ第１の側８１に折れ曲がるようにして延在する立ち上がり部２３と、立ち上がり部２３の先端からさらに互いに遠ざかる向きに折れ曲がるようにしてそれぞれ延在する耳部２４とを備える。立ち上がり部２３は、前記対象物を前記柱状部材に取り付ける際に前記柱状部材に巻きつけられるベルト部材９を通すための第１ベルト通し部１５をそれぞれ有する。耳部２４は、前記対象物を前記壁面に取り付ける際に前記壁面から突出するアンカーボルトを通すためのボルト通し部１６をそれぞれ有する。
【００１２】
（作用・効果）
本実施の形態における取付具１０１であれば、対象物を柱状部材に取り付ける際と、壁面に取り付ける際との両方に兼用とすることができる。
【００１３】
対象物を柱状部材に取り付ける場合について、図２を参照して説明する。この場合は、第１ベルト通し部１５にベルト部材９を通し、ベルト部材９を耳部２４の外側にまわしてさらに柱状部材７０に巻き付ける。こうすることによって取付具１０１を柱状部材７０に取り付けることができる。このようにして固定された取付具１０１に対して、従来と同様の方法により対象物を取り付ければよい。柱状部材７０は電柱であってもよく、他の種類の柱であってもよい。柱状部材７０は円柱であるとは限らず、ベルト部材９を巻き付けることができる程度の形状の柱であればよい。柱状部材７０は鉛直方向に立っているものとは限らず斜めに立っているものであってもよい。
【００１４】
なお、実際にはベルト部材９はエンドレスの輪ではなく１本のベルト状の部材である。ベルト部材９には巻き付けた状態を維持し、さらに締付け度合いを調節するための何らかの機構が設けられているが、ここでは説明の便宜上そのような詳細な機構は図示を省略している。
【００１５】
対象物を壁面に取り付ける場合について、図３、図４を参照して説明する。壁面８からは２本のアンカーボルト３が垂直に突出している。壁面にこのようなアンカーボルトが用意されていない場合は、対象物の取付けに先立って公知技術により２本のアンカーボルト３を設置しておく。図３に示すように、耳部２４に設けられたボルト通し部１６にそれぞれアンカーボルト３を挿入する。こうすることにより、取付具１０１を壁面８に向けて押し当て、アンカーボルト３の各々の先端からナット４を締める。その結果、取付具１０１のうち耳部２４が壁面８に当接した状態で、図４に示すように取付具１０１が壁面８に固定される。このようにして固定された取付具１０１に対して、従来と同様の方法により対象物を取り付ければよい。
【００１６】
本実施の形態における取付具１０１では、このように柱状部材と壁面とのいずれへの取付けであっても兼用することができる。しかも、取付具１０１は一体物であって複数部品に分かれていないので、取付け作業中に分解してしまったり、取付具のうちの一部の部品だけが落下するといった事態を防止することができる。特に対象物を壁面に取り付ける場合は、従来に比べて、部品点数を減らすことができる。
【００１７】
（変形例）
本実施の形態における取付具１０１の変形例としてたとえば以下のようなものが考えられる。たとえば図５に示した取付け具１０２は、中央部２１の左右に立ち上がり部２３ｈを備える。立ち上がり部２３ｈの各々には第１ベルト通し部１５ｈが貫通孔ではなく切欠きとして設けられている。このような構成であっても一応本発明の効果を得ることはできる。ただし、立ち上がり部の強度を考慮すれば、第１ベルト通し部は、図１に示したように立ち上がり部の各々に設けられた貫通孔であることが好ましい。
【００１８】
（実施の形態２）
実施の形態１で説明した取付具１０１が柱状部材への取付けに用いられる場合、柱状部材が図６に示す柱状部材７１のように径が十分に大きなものである場合には、ベルト部材９は耳部２４の外側をまわった後に柱状部材７１の外周面に十分長い距離にわたって沿うことができる。これにより、ベルト部材９と柱状部材７１との間の摩擦力は十分に大きく作用し、安定した固定をすることができる。また、ベルト部材９に無理な曲げが生じることもない。しかし、柱状部材が図７に示す柱状部材７２のように径が小さなものである場合、特に耳部２４の両端の間の長さよりも柱状部材７２の径の方が小さい場合には、ベルト部材９は柱状部材７２の外周面のうち取付具１０１から遠い側の半分にしか沿うことができず、ベルト部材９が柱状部材７２の外周面から浮いている部分７２ａが相対的に大きな割合を占めるようになる。したがって、安定した固定をすることができない。また、図７に表れているように、ベルト部材９は耳部２４の外側をまわった後に急激に向きを変えることとなるので、耳部２４の先端近傍でベルト部材９に無理な曲げが加わるおそれがある。そこで、本発明に基づく実施の形態２としては、この問題を考慮した取付具について説明する。
【００１９】
（構成）
図８に、本発明に基づく実施の形態２における取付具１０３を示す。本実施の形態における取付具１０３においては、耳部２４ｉは、ベルト部材９を通すための第２ベルト通し部１７をそれぞれ有する。第２ベルト通し部１７はスリット状の貫通孔である。
【００２０】
（作用・効果）
本実施の形態においても、実施の形態１で説明した効果が得られる。さらに本実施の形態における取付具１０３によれば、柱状部材に取り付ける際にはベルト部材９を必ずしも耳部２４ｉの外側にまわす必要がなく、柱状部材の径の大きさによっては、ベルト部材９を耳部２４ｉの中にある第２ベルト通し部１７に通すことができる。したがって、径の小さな柱状部材７２に取り付ける際には、図９に示すようになる。その結果、ベルト部材９は柱状部材７２の外周面の十分長い距離にわたって沿うことができ、安定した固定が可能となる。この取付具１０３を径が大きな柱状部材に対して取り付ける場合は、ベルト部材９を第２ベルト通し部１７に通さず耳部２４ｉの外側にまわしてもよい。その場合、取付け後の状態は図６に示したようになる。
【００２１】
（変形例）
図８に示した取付具１０３では、第２ベルト通し部１７とボルト通し部１６とが横並びとなっていたが、図１０に示す取付具１０４のように縦並びとしてもよい。取付具１０４は、立ち上がり部２３よりも上下方向の長さが長くなった耳部２４ｊを備え、耳部２４ｊの中に第２ベルト通し部１７とボルト通し部１６とを有する。ボルト通し部１６は第２ベルト通し部１７の上側に配置されている。耳部２４ｊの下端は立ち上がり部２３の下端と一致しており、上端は立ち上がり部２３の上端より高い位置にある。
【００２２】
このような構成のものであっても、アンカーボルトと対象物との相対的な位置関係が若干変わることを除けば、本実施の形態における取付具１０３と同様の効果を得られる。
【００２３】
さらなる変形例として、図１１に示す取付具１０５のようなものであってもよい。取付具１０５は、上下方向に長くなった立ち上がり部２３ｋを備える。立ち上がり部２３ｋの先端からさらに遠ざかる向きに折れ曲がるようにして耳部２４ｋが延在する。耳部２４ｋの中に第２ベルト通し部１７とボルト通し部１６とが配置されている。ボルト通し部１６は第２ベルト通し部１７の上側に配置されている。このような構成であれば、図８、図１０にそれぞれ示した取付具１０３，１０４に比べれば必要な材料の量は増すが、強度を高めることができる。
【００２４】
さらに他の変形例として、図１２、図１３、図１４、図１５に示すように、第２ベルト通し部が貫通孔でない形態のものであってもよい。
【００２５】
図１２に示す取付具１０６においては、耳部２４ｎに第２ベルト通し部１７ｎがスリット状の切欠きとして設けられている。第２ベルト通し部１７ｎは耳部２４ｎの下端に対して開放した形の切欠きである。
【００２６】
図１３に示す取付具１０７においては、耳部２４ｑに第２ベルト通し部１７ｑが切欠きとして設けられている。第２ベルト通し部１７ｑが設けられた結果、耳部２４ｑはＬ字形となっている。この構成であれば第２ベルト通し部にベルト部材を通しやすい。ベルト部材９は、立ち上がり部２３に貫通孔として設けられた第１ベルト通し部１５を通ることにおいて上下方向に関して既に拘束されているので、耳部２４ｑではさほど拘束する必要はなく、第２ベルト通し部１７ｑのような開放的な構造であってもよい。
【００２７】
図１４に示す取付具１０８においては、耳部２４ｒに第２ベルト通し部１７ｒが切欠きとして設けられている。第２ベルト通し部１７ｒが設けられた結果、耳部２４ｒはコの字形となっている。この構成であれば第２ベルト通し部にベルト部材を通しやすく、なおかつ、耳部としてはベルト部材の上下両方に引っ掛かりを有するので、ベルト部材をより安定して保持することができる。
【００２８】
図１５に示す取付具１０９においては、耳部２４ｕにボルト通し部１６が２ヶ所ずつ設けられている。この構成を採用することにより、壁面への取付け時にはより強固な固定が可能となる。ただし、そのためには壁面に４本のアンカーボルトを用意することが好ましい。取付具１０９は、壁面から突出するアンカーボルトが２本の場合でも上側２つのボルトと押し部１６にこれら２本のアンカーボルトを通して使用することができる。対象物が重量物である場合などには、取付具１０９によって４本のアンカーボルトを用いることが好ましい。
【００２９】
図８、図１０、図１１では第２ベルト通し部はスリット状の貫通孔であったのに対して、図１２、図１３、図１４、図１５では第２ベルト通し部は切欠きであった。第２ベルト通し部が貫通孔である場合と切欠きである場合とのいずれにも利点がある。
【００３０】
第２ベルト通し部は耳部の各々に設けられたスリット状の貫通孔であることが好ましい。貫通孔であれば、ベルト部材がより確実に拘束されて安定する。
【００３１】
第２ベルト通し部は耳部の各々に設けられた切欠きであることが好ましい。切欠きであれば、ベルト部材を通す作業が楽に行なえる。
【００３２】
なお、上述したいずれの例による取付具であっても、前記中央部、左右一対の前記立ち上がり部、左右一対の前記耳部は、１枚の金属板から一体的に形成されたものであることが好ましい。このような条件を満たす取付具であれば、板金加工によって金属板から容易に作製することができるので、従来技術に基づく取付具に比べてほとんどコスト増を伴うことなく作製することができる。
【００３３】
なお、上述したいずれの例による取付具であっても、対象物は照明装置の灯具であることが好ましい。照明器具の灯具を、電柱などの柱状部材や壁面に取り付ける際に大いに役立つからである。
【００３４】
（実施の形態３）
（構成）
図１６を参照して、本発明に基づく実施の形態３における照明装置について説明する。
【００３５】
照明装置５０１は、灯具１１と、取付具１０１とを備え、取付具１０１が取り付ける対象物は灯具１１である。図１６では取付具が取付具１０１である例を示したが、照明装置が備える取付具は、上記各実施の形態で説明したいずれかの例の取付具であればよい。なお、この種の取付具は、通常、照明装置の一部として販売される。この照明装置を柱状部材や壁面に設置するために、ユーザは、取付具を灯具から一旦外し、この取付具を柱状部材または壁面に固定し、その後で、灯具を取付具に固定する。
【００３６】
（作用・効果）
本実施の形態における照明装置は、柱状部材に取り付ける際と、壁面に取り付ける際との両方に兼用の取付具を備えており、取付具は一体物であって複数部品に分かれていないので、取付け作業中に分解してしまったり、取付具のうちの一部の部品だけが落下するといった事態を防止することができる。
【００３７】
なお、上記各実施の形態では、立ち上がり部の上端、下端の辺が水平となっている例を示したが、これらの辺は水平とは限らず斜めになっていてもよい。また、これらの辺は直線状のものとして示したが、直線状とは限らない。
【００３８】
中央部２１と立ち上がり部とに囲まれる領域においては、取付具の一部として何らかの底面が存在してもよい。この底面にボルト孔を設けておけば、対象物に設けたフックを中央部２１に掛けて、フックの先端と取付具の底面との間でボルト締めをすることで対象物を安定して固定することが可能となる。
【００３９】
照明装置は、屋外で用いるものであっても屋内で用いるものであってもよい。照明装置は防犯灯であってもよい。
【００４０】
上記各実施の形態で示した取付具は、金属製であってよいが、金属製とは限らず、他の材質であってもよい。金属製とする場合は、たとえば鉄で作製することができる。取付具が鉄などのように錆びる可能性のある金属で作製される場合は、表面に防錆処理を施しておくことが望ましい。
【００４１】
なお、上記各実施の形態では、対象物が灯具である例を示したが、対象物は灯具以外に、たとえば太陽電池パネル、アンテナ、カメラ、スピーカ、センサ、表示装置、その他何らかの装置であってもよい。
【００４２】
なお、今回開示した上記実施の形態はすべての点で例示であって制限的なものではない。本発明の範囲は上記した説明ではなくて特許請求の範囲によって示され、特許請求の範囲と均等の意味および範囲内でのすべての変更を含むものである。
【符号の説明】
【００４３】
１  固定用アングル、２  板状部材、３  アンカーボルト、４  ナット、５  ベルト通し孔、８  壁面、９  ベルト部材、１０  電柱、１１  灯具、１１ａ  （灯具の）フック、１２  ボルト、１３  孔、１５，１５ｈ  第１ベルト通し部、１６  ボルト通し部、１７，１７ｎ，１７ｑ，１７ｒ，１７ｕ  第２ベルト通し部、２１  中央部、２２  （中央部の左右の）端、２３，２３ｈ，２３ｋ  立ち上がり部、２４，２４ｉ，２４ｊ，２４ｋ，２４ｎ，２４ｑ，２４ｒ，２４ｕ  耳部、７０，７１，７２  柱状部材、７２ａ  （ベルト部材が浮いている）部分、８１  第１の側、１０１，１０２，１０３，１０４，１０５，１０６，１０７，１０８，１０９  取付具、５０１  照明装置。
【図１】
2011114937.tif 000003
【図２】
2011114937.tif 000004
【図３】
2011114937.tif 000005
【図４】
2011114937.tif 000006
【図５】
2011114937.tif 000007
【図６】
2011114937.tif 000008
【図７】
2011114937.tif 000009
【図８】
2011114937.tif 000010
【図９】
2011114937.tif 000011
【図１０】
2011114937.tif 000012
【図１１】
2011114937.tif 000013
【図１２】
2011114937.tif 000014
【図１３】
2011114937.tif 000015
【図１４】
2011114937.tif 000016
【図１５】
2011114937.tif 000017
【図１６】
2011114937.tif 000018
【図１７】
2011114937.tif 000019
【図１８】
2011114937.tif 000020
【図１９】
2011114937.tif 000021
【図２０】
2011114937.tif 000022
【図２１】
2011114937.tif 000023
【図２２】
2011114937.tif 000024
【図２３】
2011114937.tif 000025